(57)【要約】【課題】電線端子の取付角度の変更に十分対応することが可能で、取付角度の変更に対する制約が緩和されて汎用性に優れ、更にカバーを保持する際の作業性を向上させることができるねじ止め端子部のカバー保持構造を提供する。【解決手段】電線端子４がねじ部材６にナット７で締め付けられてねじ止めされたバッテリ１のねじ止め端子部２を覆うカバー８と、そのカバー８を保持するカバー保持部１１とを備えたねじ止め端子部のカバー保持構造において、前記カバー保持部１１がカバー８の内面に設けられたソケット１２と、そのソケット１２の内部に装着され、内部に前記ねじ止め端子部２のねじ部材６の端部６ａが嵌挿されてこれを弾性的に締め付ける弾性保持部材１３とを有する構成になっている。【選択図】　　　　図１
2004087252.tif 000002
【特許請求の範囲】
【請求項１】
電線端子がねじ部材にナットで締め付けられてねじ止めされたねじ止め端子部を覆うカバーと、そのカバーを保持するカバー保持部とを備えたねじ止め端子部のカバー保持構造において、前記カバー保持部がカバーの内面に設けられたソケットと、そのソケットの内部に装着され、内部に前記ねじ止め端子部のねじ部材の端部又はナットが嵌挿されてこれを弾性的に締め付ける弾性保持部材とを有することを特徴とするねじ止め端子部のカバー保持構造。
【請求項２】
前記カバー保持部の弾性保持部材がラバーリングからなり、前記ソケットに係止されるラバーリングホルダにより支持されることを特徴とする請求項１記載のねじ止め端子部のカバー保持構造。
【請求項３】
前記カバー保持部の弾性保持部材が接着剤層を介してソケットの内部に装着されることを特徴とする請求項１記載のねじ止め端子部のカバー保持構造。
【請求項４】
前記カバー保持部の弾性保持部材が回動係止手段によりソケットの内部に装着されることを特徴とする請求項１記載のねじ止め端子部のカバー保持構造。
【発明の詳細な説明】
【０００１】
【発明の属する技術分野】
本発明は、自動車等に搭載されるバッテリ等のねじ止め端子部のカバー保持構造に関するものである。
【０００２】
【従来の技術】
従来のこの種のねじ止め端子部のカバー保持構造を、例えば、図６（イ）（ロ）に示すようなバッテリ１のねじ止め端子部２のカバー保持構造に適用した例について説明する。ねじ止め端子部２は、電線３の端部が圧着により接続された、例えば、ＬＡ（ＢＡ）端子である電線端子４がバッテリ１の端子ポスト（図示せず）に接続されたポジテブ端子５に設けられたボルト等のねじ部材６に通されナット７で締め付けられてねじ止めされたものである。
【０００３】
そのねじ止め端子部２のカバー保持構造は、そのねじ止め端子部２を覆って機械的に保護したり、作業中の接触による感電、水等の付着による漏電を防止するためのカバー８と、そのカバー８を位置ずれ又は脱落等しないように保持するカバー保持部９とを備えている。カバー８はゴム、プラスチック材を下部が開口するように矩形箱型に成形加工して形成され、前記ねじ止め端子部２及びポジテブ端子５の上に被せて覆うようになっている。カバー保持部９は下端部が内方へ突出する爪１０ａを有する一対のカバー係止片１０がカバー８の両内側部に各爪１０ａが対向配置されるように設けて構成され、カバー係止片１０の爪１０ａを電線端子４の両側縁に引掛けて係止させることにより、カバー８を保持するようになっている。
【０００４】
【発明が解決しようとする課題】
このようなねじ止め端子部のカバー保持構造は、カバー係止片１０の爪１０ａを電線端子４の両側縁に引掛けて係止させることによりカバー８を保持する構造なので、ねじ止め端子部２の電線端子４の取付角度が設計仕様等により変わると、カバー係止片１０がバッテリ１の本体にぶつかる等して爪１０ａを電線端子４の両側縁に引掛けて係止させることが困難になり、カバー８を保持できなくなることがあり、また、ねじ止め端子部２の大きさ等が変わると、それに見合うカバー８を製作する必要が生じ、電線端子４の取付角度の変更がかなり制約されて汎用性に劣る問題があった。
【０００５】
また、電線端子４の取付角度の変更にある程度対応せるために、カバー係止片１０の爪１０ａを大きくしてあるので、爪１０ａを電線端子４の両側縁に引掛けて係止させる際、カバー８及びカバー係止片１０の下部を両側方へ押し広げる度合いが大きくなり、カバー８を保持する作業性が悪くなるという問題もあった。
【０００６】
本発明は上記の問題を解決し、電線端子の取付角度の変更に十分対応することが可能で、取付角度の変更に対する制約が緩和されて汎用性に優れ、更にカバーを保持する際の作業性を向上させることができるねじ止め端子部のカバー保持構造を提供することを目的としている。
【０００７】
【課題を解決するための手段】
上記目的を達成するため、本発明の請求項１に記載されたねじ止め端子部のカバー保持構造は、電線端子がねじ部材にナットで締め付けられてねじ止めされたねじ止め端子部を覆うカバーと、そのカバーを保持するカバー保持部とを備えたねじ止め端子部のカバー保持構造において、前記カバー保持部がカバーの内面に設けられたソケットと、そのソケットの内部に装着され、内部に前記ねじ止め端子部のねじ部材の端部又はナットが嵌挿されてこれを弾性的に締め付ける弾性保持部材とを有するものである。
【０００８】
このような構成により、カバーに装着された弾性保持部材の内部にねじ止め端子部のねじ部材の端部又はナットを押し込むだけで、カバーをねじ部材の端部又はナットに対して任意の取付角度で保持することが可能になり、電線端子の取付角度の変更が制約されないほか、ねじ止め端子部の大きさ等が変わった場合には、それに見合った弾性保持部材を取り換えるだけで済むので汎用性に優れ経済的である。
【０００９】
また、カバー側の弾性保持部材にねじ止め端子部のねじ部材の端部又はナットを押し込むことにより、カバーが保持されるので、カバーを保持する作業性を向上させることができる。さらにカバーがねじ部材の端部又はナットにしっかり保持されるので簡単に外れることがなく、ねじ止め端子部を機械的に保護すると共に、作業中の接触による感電事故、水等の付着による漏電事故の発生を防止することができる。
【００１０】
本発明の請求項２に記載されたねじ止め端子部のカバー保持構造は、請求項１記載のカバー保持構造において、前記カバー保持部の弾性保持部材がラバーリングからなり、前記ソケットに係止されるラバーリングホルダにより支持されるものである。
【００１１】
このような構成によると、カバー側の弾性保持部材とねじ止め端子部側のねじ部材の端部又はナットとの間の弾性保持力が大きくなって、カバーをよりしっかり保持することができるほか、ねじ部材の端部の大きさに対応する弾性保持部材の製作が容易になり、カバー保持構造の汎用性をより高めることができる。
【００１２】
本発明の請求項３に記載されたねじ止め端子部のカバー保持構造は、請求項１記載のカバー保持構造において、前記カバー保持部の弾性保持部材が接着剤層を介してソケットの内部に装着されるものである。
【００１３】
このような構成によると、前記ラバーリングホルダを設けるスペースが不要になるので、カバー保持部の構造が簡単で小型になる。
【００１４】
本発明の請求項４に記載されたねじ止め端子部のカバー保持構造は、請求項１記載のカバー保持構造において、前記カバー保持部の弾性保持部材が回動係止手段によりソケットの内部に装着されるものである。
【００１５】
このような構成によると、前記ソケットの内部に弾性保持部材を速やかに装脱着することが可能になり、弾性保持部材を装脱着する作業性を向上させることができる。
【００１６】
【発明の実施の形態】
次に本発明の実施形態を図面に基づき詳細に説明する。図１は本発明に係るねじ止め端子部のカバー保持構造をバッテリのねじ止め端子部に適用した例を示す一部断面正面図、図２（イ）は図１に示すカバー保持構造のねじ止め端子部にカバーを被せて該端子部を覆う前の状態の分解斜視図、図２（ロ）はそのカバー保持部の分解斜視図である。なお、従来のカバー保持構造と同一構成のものには同一符号が付してある。
【００１７】
ねじ止め端子部２は、電線３の端部が圧着により接続された、例えば、ＬＡ（ＢＡ）端子である電線端子４がバッテリ１の端子ポスト（図示せず）に接続されたポジテブ端子５に設けられたボルト等のねじ部材６に通されナット７で締め付けられてねじ止めされたものである。
【００１８】
本実施形態のねじ止め端子部２のカバー保持構造は、そのねじ止め端子部２を覆って機械的に保護したり、作業中の接触による感電、水等の付着による漏電を防止するためのカバー８と、そのカバー８を位置ずれ又は脱落等しないように保持するカバー保持部１１とを備えている。カバー８はＥＰゴム、シリコーンゴム等のゴム材、又は、軟質塩化ビニール、ポリプロピレン等のプラスチック材を下部が開口するように矩形箱型に成形加工して形成され、前記ねじ止め端子部２及びポジテブ端子５の上に被せて覆うようになっている。
【００１９】
カバー保持部１１は、カバー８の内面に設けられたソケット１２と、そのソケット１２の内部に装着され、内部に前記ねじ止め端子部２のねじ部材６におけるナット７から上方へ余長分として突出した端部６ａが嵌挿されて、これを弾性的に締め付ける弾性保持部材１３とを有している。
【００２０】
さらに詳細に説明すると、ソケット１２は円筒状、角筒状等の筒状（環状を含む）をしており、前記ねじ止め端子部２のねじ部材６に対向するカバー８の内面に、カバー８と同じ材料を一体に成形加工することにより、又は、カバー８と別体に形成され、ねじ、接着剤等で固定することにより設けられる。本実施形態ではカバー８と一体に成形加工することにより設けられている。
【００２１】
弾性保持部材１３はＥＰゴム、シリコーンゴム等のゴム材、又は、軟質塩化ビニール等のゴム弾性を有するプラスチック材を成形加工、切削加工等により円筒状、角筒状等の筒状（環状を含む）に形成される。図１、図２（ロ）に示すものは円筒状に形成されたラバーリングで構成され、その外径がソケット１２の穴径よりも少し大きく設定され、ソケット１２の内部に押し込んで圧入し、ソケット１２との摩擦力で固定されるように装着されている。
【００２２】
ラバーリングの円形穴の内径はこれに嵌挿されるねじ部材６の端部６ａの外径よりも少し小さく設定され、ねじ部材６の端部６ａが嵌挿されたとき、これをラバーリングで弾性的に締め付け易いようになっている。なお、ラバーリングの円形穴の内面が図１に示すような凹凸面状に形成されていると摩擦力が大きくなるので好ましい。
【００２３】
さらに前記カバー保持部１１のソケット１２の外側には、弾性保持部材１３であるラバーリングを下方から支持してラバーリングの装着性を良くするラバーリングホルダ１４が係止される。
【００２４】
このラバーリングホルダ１４は、ソケット１２の外周に嵌挿される、例えば、円筒状のホルダ本体１５と、ホルダー本体１５の下部に円周方向に所定間隔をおいて内方に突出するように設けられた複数個、好ましくは３個以上の係止爪１６と、ホルダー本体１５の側部の１８０度対向する部位に２条の縦スリット１７ｂ（図２（ロ）参照）を入れて形成され、各上部に内方に突出するフック１７ａを有する２個の挟着片１７とからなる。
【００２５】
また、ソケット１２の側部には、前記挟着片１７に対応すべく１８０度対向する部位に、上方へ開口するコ字状の２個の係止用窓１８が形成される。そして、ソケット１２の外周にラバーリングホルダ１４を嵌挿し、ソケット１２の各係止用窓１８の底部に、ラバーリングホルダ１４の各挟着片１７のフック１７ａを引掛けることにより、ラバーリングホルダ１４がソケット１２に係止される。
【００２６】
前記ラバーリングがラバーリングホルダ１４で支持されていると、ラバーリングの装着状態が良くなってソケット１２から脱落しにくくなるほか、ラバーリングホルダ１４に強く押し込んで装着する必要がなくなり、ラバーリングの装着が容易になる。本実施形態のねじ止め端子部のカバー保持構造は以上のように構成されている。
【００２７】
次に、このカバー保持構造を組み立てる場合には以下のようにして行う。即ち、カバー保持部１１のソケット１２の内部に弾性保持部材１３を装着し、ソケット１２の外周にラバーリングホルダ１４を嵌挿して、その両挟着片１７のフック１７ａをソケット１２の係止用窓１８に引掛けてソケット１２に係止し、カバー保持部１１を形成する。次に、カバー８を図２（イ）に示すようにねじ止め端子部２の上方に位置させ、ねじ止め端子部２におけるねじ部材６のナット７より上方に突出する余長分の端部６ａを、カバー保持部１１の弾性保持部材１３の内部に押し込んで圧入することにより嵌挿する。このようにして、その端部６ａを弾性保持部材１３で弾性的に締め付けることにより、ねじ止め端子部２にカバー８を被せて保持し、該端子部２を覆うことにより行う。
【００２８】
このような構成のカバー保持構造は、カバー８に装着された弾性保持部材１３の内部にねじ止め端子部２のねじ部材６の端部６ａをねじ止め端子部２の上に被せて、そのねじ部材６の端部６ａをカバー保持部１１の弾性保持部材１３の内部に押し込むだけで、カバー８をねじ部材６の端部６ａに対して任意の取付角度で保持することが可能になる。従って、電線端子４の取付角度の変更が制約されないほか、ねじ止め端子部２の大きさ等が変わった場合には、それに見合った弾性保持部材１３を取り換えるだけで済むので汎用性に優れている。
【００２９】
また、カバー８側の弾性保持部材１３にねじ止め端子部２のねじ部材６の端部６ａを押し込むことにより、カバー８が保持されるので、カバー８を保持する作業性を向上させることができる。さらにカバー８がねじ部材６の端部６ａにしっかり保持されるので簡単に外れることがなく、ねじ止め端子部２を機械的に保護すると共に、作業者が作業中にねじ止め端子部２に接触することによる感電事故、水等の付着による漏電事故の発生を防止することができる。
【００３０】
また、弾性保持部材１３がラバーリングからなり、ラバーリングホルダ１４により支持されると、カバー８側の弾性保持部材１３とねじ止め端子部２側のねじ部材６の端部６ａとの間の弾性保持力が大きくなって、カバー８をよりしっかり保持することができるほか、ねじ部材６の端部６ａの大きさに対応する弾性保持部材１３の製作が容易になり、カバー保持構造の汎用性をより高めることができる。
【００３１】
本発明のねじ止め端子部２のカバー保持構造は前記実施形態のもののほかに種々の変形例が適用可能である。例えば、図３に示すように、弾性保持部材１３がカバー保持部１１のソケット１２の内部に接着剤層１９を介して装着されるようにしてもよい。このような構成によると、ラバーリングホルダ１４を設けるスペースが不要になるので、カバー保持部１１の構造が簡単で小型になる。
【００３２】
また、図４（イ）（ロ）に示すように、弾性保持部材１３が回動係止手段２０によりカバー保持部１１のソケット１２に装着されるようにしてもよい。
即ち、回動係止手段２０は、ソケット１２の側部の１８０度対向する部位に、下部が開口する縦スリット２１ａとカバー８の内面に突き当たる上部より横方向に９０度屈曲する横スリット２１ｂとからなり、各横スリット２１ｂの向きが逆向きになるように形成される逆Ｌ形状の２個の係止用スリット２１と、弾性保持部材１３の側部にあって前記係止用スリット２１に対応する１８０度対向する部位に、先端が下方に９０度屈曲するように突設される逆Ｌ形状のフック２２とで構成される。
【００３３】
そして、該回動係止手段２０におけるソケット１２側の両係止用スリット２１の縦スリット２１ａに、弾性保持部材１３側の両フック２２が係入するようにして、ソケット１２の内部に弾性保持部材１３を嵌挿し、両フック２２が両係止用スリット２１の縦スリット２１ａの上部に当接したとき、弾性保持部材１３を図４（イ）の矢印方向（左方向）に両フック２２が係止用スリット２１の横スリット２１ｂの奥壁に突き当たるまで所定角度回動させる。この回動係止手段２０により、弾性保持部材１３がカバー保持部１１のソケット１２の内部に回動係止されて装着される。
【００３４】
このような構成によると、ソケット１２の内部に弾性保持部材１３を速やかに装脱着することが可能になり、弾性保持部材１３を装脱着する作業性を向上させることができる。
【００３５】
さらに、図５に示すように、カバー保持部１１の弾性保持部材１３の内部に、ねじ止め端子部２のナット７が嵌挿され、これを弾性的に締め付けることにより、カバー８をねじ止め端子部２に被せて覆うように保持してもよい。この場合、弾性保持部材１３のナット７が嵌挿される穴の形状はナット７の外形状が、例えば、６角形状の場合はこれに見合う６角形状とし、且つ、ナット７の形状よりも少し小さ目の形状に形成することが望ましい。
【００３６】
このような構成のカバー保持構造によると、カバー８がねじ止め端子部２の基部の近傍で保持されるので、カバー８が横振れを起こしにくくなり、ねじ止め端子部２のカバー保持構造が振動の生じ易い個所で使用されても、カバー８が容易に外れるようなことがなく、カバー８を長期間安定して保持することが可能になる。
【００３７】
なお、本発明においては、弾性保持部材１３の内部に前記ねじ部材６の端部６ａが嵌挿された場合には該内部にナット７が嵌挿されず、弾性保持部材１３の内部にねじ止め端子部２のナット７が嵌挿された場合には、ねじ部材６の端部６ａが嵌挿されないというものではなく、図示省略するが、カバー保持部１１の弾性保持部材１３の内部にねじ止め端子部２のねじ部材６の端部６ａとナット７の双方が共に嵌挿され、これら双方を弾性的に締め付けるようにしても良いことは勿論である。
【００３８】
【発明の効果】
以上述べたように、本発明の請求項１に記載されたねじ止め端子部のカバー保持構造は、電線端子がねじ部材にナットで締め付けられてねじ止めされたねじ止め端子部を覆うカバーと、そのカバーを保持するカバー保持部とを備えたカバー保持構造において、前記カバー保持部がカバーの内面に設けられたソケットと、そのソケットの内部に装着され、内部に前記ねじ止め端子部のねじ部材の端部又はナットが嵌挿されてこれを弾性的に締め付ける弾性保持部材とを有するので、カバーに装着された弾性保持部材の内部にねじ止め端子部のねじ部材の端部又はナットを押し込むだけで、カバーをねじ部材の端部又はナットに対して任意の取付角度で保持することが可能になり、電線端子の取付角度の変更が制約されないほか、ねじ止め端子部の大きさ等が変わった場合には、それに見合った弾性保持部材を取り換えるだけで済むので汎用性に優れ経済的である。
【００３９】
また、カバー側の弾性保持部材にねじ止め端子部のねじ部材の端部又はナットを押し込むことにより、カバーが保持されるので、カバーを保持する作業性を向上させることができ、さらにカバーがねじ部材の端部又はナットにしっかり保持されるので簡単に外れることがなく、ねじ止め端子部を機械的に保護すると共に、作業中の接触による感電事故、水等の付着による漏電事故の発生を防止することができる。
【００４０】
本発明の請求項２に記載されたねじ止め端子部のカバー保持構造は、請求項１記載のカバー保持構造において、前記カバー保持部の弾性保持部材がラバーリングからなり、前記ソケットに係止されるラバーリングホルダにより支持されるものであり、このような構成によると、カバー側の弾性保持部材とねじ止め端子部側のねじ部材の端部又はナットとの間の弾性保持力が大きくなって、カバーをよりしっかり保持することができるほか、ねじ部材の端部の大きさに対応する弾性保持部材の製作が容易になり、カバー保持構造の汎用性をより高めることができる。
【００４１】
本発明の請求項３に記載されたねじ止め端子部のカバー保持構造は、請求項１記載のカバー保持構造において、前記カバー保持部の弾性保持部材が接着剤層を介してソケットの内部に装着されるものであり、このような構成によると、前記ラバーリングホルダを設けるスペースが不要になるので、カバー保持部の構造が簡単で小型になる。
【００４２】
本発明の請求項４に記載されたねじ止め端子部のカバー保持構造は、請求項１記載のカバー保持構造において、前記カバー保持部の弾性保持部材が回動係止手段によりソケットの内部に装着されるものであり、このような構成によると、前記ソケットの内部に弾性保持部材を速やかに装脱着することが可能になり、弾性保持部材を装脱着する作業性を向上させることができる。
【図面の簡単な説明】
【図１】本発明に係るねじ止め端子部のカバー保持構造をバッテリのねじ止め端子部に適用した例を示す一部断面正面図である。
【図２】（イ）は図１に示すカバー保持構造のねじ止め端子部にカバーを被せて該端子部を覆う前の状態の分解斜視図、（ロ）はそのカバー保持部の分解斜視図である。
【図３】図１のカバー保持部の変形例を示す断面図である。
【図４】（イ）は図１、３のカバー保持部の変形例を示す側面図、（ロ）は（イ）のＸ−Ｘ線矢視断面図である。
【図５】図１、３、４のカバー保持部と異なるカバー保持部を備えたねじ止め端子部のカバー保持構造を示す一部断面正面図である。
【図６】（イ）は従来のねじ止め端子部のカバー保持構造の分解斜視図、（ロ）はそのカバー保持部のカバー係止片の爪を電線端子の両側縁に引掛けて係止させた状態の斜視図である。
【符号の説明】
１　　　　バッテリ
２　　　　ねじ止め端子部
３　　　　電線
４　　　　電線端子
５　　　　ポジテブ端子
６　　　　ねじ部材
６ａ　　　端部
７　　　　ナット
８　　　　カバー
１１　　　カバー保持部
１２　　　ソケット
１３　　　弾性保持部材
１４　　　ラバーリングホルダ
１５　　　ホルダー本体
１６　　　係止爪
１７　　　挟着片
１７ａ　　フック
１７ｂ　　縦スリット
１８　　　係止用窓
１９　　　接着剤層
２０　　　回動係止手段
２１　　　係止用スリット
２１ａ　　縦スリット
２１ｂ　　横スリット
２２　　　フック
【図１】
2004087252.tif 000003
【図２】
2004087252.tif 000004
【図３】
2004087252.tif 000005
【図４】
2004087252.tif 000006
【図５】
2004087252.tif 000007
【図６】
2004087252.tif 000008